(57)【要約】【課題】  装着者の立ち居振舞により、姿勢矯正具が徐々にずり上がり、初期の大きな引張力が弱まり、姿勢矯正効力の低下を防止し、腰ベルトと背当て面状体を初期の位置に確保し、安定且つ確実に初期の姿勢矯正効果を維持する姿勢矯正具を提供する。【解決手段】  伸縮性を有する背当て面状体１と、該背当て面状体１の下部に縫着された中間ベルト部３ａと該中間ベルト部３ａから左右に延び腰に巻き付けられ且つ下腹部において交叉する延長ベルト部３ｂ，３ｂとから成ると共にその交叉部の対向面に雌雄一対の面ファスナー４，５を配設して成る伸縮性を有する腰ベルト３と、該背当て面状体１に両端が縫着された伸縮性を有する左右一対の肩掛けベルト２，２とから成る姿勢矯正具において、該腰ベルト３に、その左右一対の延長ベルト部３ｂ，３ｂに両端６ａ，６ａを縫着し、該両端６ａ，６ａ間を該腰ベルト３から遊離した状態に付設して成る。【選択図】      図１
0003102373.tif 000002
【実用新案登録請求の範囲】
【請求項１】
伸縮性を有する背当て面状体と、該背当て面状体の下部に縫着された中間ベルト部と該中間ベルト部から左右に延び腰に巻き付けられ下腹部において交叉するに足る長さを有する延長ベルト部とから成ると共に、その交叉部の対向面に配設した雌雄一対の面ファスナーを配設して成る伸縮性を有する腰ベルトと、該背当て面状体の両側に両端が縫着された伸縮性を有する左右一対の肩掛けベルトとから成る姿勢矯正具において、該腰ベルトの該左右一対の延長ベルト部に両端を縫着し、その両端間を腰ベルトから遊離させた状態に伸縮性を有し且つ強靭な尻掛けベルトを付設したことを特徴とする姿勢矯正具。
【請求項２】
伸縮性を有する背当て面状体と、該背当て面状体の下部に縫着された中間ベルト部と該中間ベルト部から左右に延び腰に巻き付けられ下腹部において交叉するに足る長さを有する延長ベルト部とから成ると共に、その交叉部の対向面に配設した雌雄一対の面ファスナーを配設して成る伸縮性を有する腰ベルトと、該背当て面状体の両側に両端が縫着された伸縮性を有する左右一対の肩掛けベルトとから成る姿勢矯正具において、該左右一対の肩掛けベルトを、遊離端部が人体の前側で互いに重なり合う上部ベルトと下部ベルトとに分離構成すると共に、該上部ベルトと該下部ベルトの互いに重なり合う対向面に伸縮性を有する雌雄一対の面ファスナーを配設したことを特徴とする姿勢矯正具。
【請求項３】
伸縮性を有する背当て面状体と、該背当て面状体の下部に縫着された中間ベルト部と該中間ベルト部から左右に延び腰に巻き付けられ下腹部において交叉するに足る長さを有する延長ベルト部とから成ると共に、その交叉部の対向面に配設した雌雄一対の面ファスナーを配設して成る伸縮性を有する腰ベルトと、該背当て面状体の両側に両端が縫着された伸縮性を有する左右一対の肩掛けベルトとから成る姿勢矯正具において、該腰ベルトの該左右一対の延長ベルト部に両端を縫着し、その両端間を腰ベルトから遊離させた状態に伸縮性を有する尻掛けベルトを付設する一方、該左右一対の肩掛けベルトを、遊離端部が人体の前側で互いに重なり合う上部ベルトと下部ベルトとに分離構成すると共に、該上部ベルトと該下部ベルトの互いに重なり合う対向面に伸縮性を有する雌雄一対の面ファスナーを配設したことを特徴とする姿勢矯正具。
【請求項４】
該伸縮性を有する背当て面状体の裏面に、該背当て面状体の中心軸線上に位置して上，下端を縫着し、該上，下端間を背当て面から遊離させた状態に、伸縮性を有し且つ強靭な垂直矯正帯を設けると共に、伸縮性を有し且つ強靭な矯正帯の一対を、Ｘ状に交叉させると共にその斜交矯正帯の夫々の上，下端を縫着し、該上，下端間を該背当て面から遊離させた状態に配設したことを特徴とする請求項１，２又は３に記載の姿勢矯正具。
【考案の詳細な説明】
【技術分野】
【０００１】
本考案は、人体の上半身の姿勢を矯正する姿勢矯正具に関する。
【背景技術】
【０００２】
日常、身体の上半身の姿勢は前屈みになり勝ちであり、また、高齢などによる筋力の弱まり、不正な姿勢、疲労などで脊椎が変形を起こし、これらが肩こり、慢性腰痛、下肢の痺れなどの要因となる。これらの現象を防止するため、従来、色々な形態の姿勢矯正具が開発されているが、未だ満足するものがない。公知文献として例示すると、実開平６−４８６２１公報に背中の矯正具が開示されている。該背中の矯正具は、特に、人体２０の背部から腰部にかけて背負った本体２に設けた左右のポケット４内に挿入収容した容易に曲がらない矯正板片１０，１０を肩掛け紐５による牽引力で背筋に沿わせることにより姿勢を矯正させるようにしたものである。
【特許文献１】実開平６−４８６２１号公報
【考案の開示】
【考案が解決しようとする課題】
【０００３】
しかし乍ら、上記の公知文献１に開示の背中の矯正具は、これを使用者が装着した使用状態において、伸縮性を有する本体２０には、該本体２０とは異質の硬い矯正板片１０，１０を内蔵するので、背中に違和感を生ずると同時に、本体２０全幅に亘り均等な伸縮性を欠き、充分な伸長による強制力が得られないばかりでなく、使用者が起立したり椅子などに座るなどの立ち居振舞の動作により、腰ベルト６は徐々にずり上がり、腰ベルト６による骨盤の後傾防止効果が消失すると共に腰ベルト６のずり上がりに伴い本体２０もずり上がり、その結果、肩掛け紐５による当初の牽引力が弱まり、上半身の姿勢矯正効果を確保できない不都合がある。また、その左右の肩掛け紐５，５は、長さが一定であるので、使用者の体格の相異により使用できず、また装着者がその時の状況に応じてその牽引力を所望により調節できない不都合がある。
本考案は、常時、初期の姿勢矯正力を確保し、従来の上記した要因を発生することを未然に防止すると共に、従来の姿勢矯正具の上記の不都合を解消した姿勢矯正具を提供することを目的とする。
【課題を解決するための手段】
【０００４】
本考案は、伸縮性を有する背当て面状体と、該背当て面状体の下部に縫着された中間ベルト部と該中間ベルト部から左右に延び腰に巻き付けられ下腹部において交叉するに足る長さを有する延長ベルト部とから成ると共に、その交叉部の対向面に配設した雌雄一対の面ファスナーを配設して成る伸縮性を有する腰ベルトと、該背当て面状体の両側に両端が縫着された伸縮性を有する左右一対の肩掛けベルトとから成る姿勢矯正具において、該腰ベルトの該左右一対の延長ベルト部に両端を縫着し、その両端間を腰ベルトから遊離させた状態に伸縮性を有し且つ強靭な尻掛けベルトを付設したことを特徴とする姿勢矯正具に存する。
更に本考案は、伸縮性を有する背当て面状体と、該背当て面状体の下部に縫着された中間ベルト部と該中間ベルト部から左右に延び腰に巻き付けられ下腹部において交叉するに足る長さを有する延長ベルト部とから成ると共に、その交叉部の対向面に配設した雌雄一対の面ファスナーを配設して成る伸縮性を有する腰ベルトと、該背当て面状体の両側に両端が縫着された伸縮性を有する左右一対の肩掛けベルトとから成る姿勢矯正具において、該左右一対の肩掛けベルトを、遊離端部が人体の前側で互いに重なり合う上部ベルトと下部ベルトとに分離構成すると共に、該上部ベルトと該下部ベルトの互いに重なり合う対向面に伸縮性を有する雌雄一対の面ファスナーを配設したことを特徴とする姿勢矯正具に存する。
更に本考案は、伸縮性を有する背当て面状体と、該背当て面状体の下部に縫着された中間ベルト部と該中間ベルト部から左右に延び腰に巻き付けられ下腹部において交叉するに足る長さを有する延長ベルト部とから成ると共に、その交叉部の対向面に配設した雌雄一対の面ファスナーを配設して成る伸縮性を有する腰ベルトと、該背当て面状体の両側に両端が縫着された伸縮性を有する左右一対の肩掛けベルトとから成る姿勢矯正具において、該腰ベルトの該左右一対の延長ベルト部に両端を縫着し、その両端間を腰ベルトから遊離させた状態に伸縮性を有する尻掛けベルトを付設する一方、該左右一対の肩掛けベルトを、遊離端部が人体の前側で互いに重なり合う上部ベルトと下部ベルトとに分離構成すると共に、該上部ベルトと該下部ベルトの互いに重なり合う対向面に伸縮性を有する雌雄一対の面ファスナーを配設したことを特徴とする姿勢矯正具に存する。
更に本考案は、上記の各姿勢矯正具において、該伸縮性を有する背当て面状体の裏面に、該背当て面状体の中心軸線上に位置して上，下端を縫着し、該上，下端間を背当て面から遊離させた状態に、伸縮性を有し且つ強靭な垂直矯正帯を設けると共に、伸縮性を有し且つ強靭な矯正帯の一対を、Ｘ状に交叉させると共にその斜交矯正帯の夫々の上，下端を縫着し、該上，下端間を該背当て面から遊離させた状態に配設したことを特徴とする姿勢矯正具に存する。
【考案の効果】
【０００５】
本考案の姿勢矯正具は、該尻掛けベルトを具備することにより、該姿勢矯正具の装着者は、該尻掛けベルトを引き下げ尻の下に引っ掛けることにより、装着者の立ち居振舞におけるいずれの状態においても、常に背当て面状体及び該腰ベルトがずり上がることを防止できるので、該背当て面状体の当初の伸長による大きな引張り力を常時維持し、上半身が前屈みになることを確実に防止し、背筋を伸ばした正しい姿勢を確保することができると同時に、常に該腰ベルトを所定の位置に固定できるので、常に該腰ベルトによる骨盤の後傾防止効果を確保し、骨盤を正しい位置に保持でき、かくして、上半身の姿勢矯正効果を向上し、腰痛などの発生を未然に確実に防止できる。
更に本考案の姿勢矯正具の該左右一対の肩掛けベルトの夫々を、上記のように上部部材と下部部材に分けると共に互いに重なり合う部分に雌雄一対の面ファスナーを具備したものに構成するときは、左右一対の肩掛けベルトをフリーサイズの肩掛けベルトとすることができ、装着者は、肩前面において装着者の望み通りの緊張状態に調節して装着できる便利をもたらし、また、装着者の体格の相異などに順応して適用でき、更には、装着者の起立状態、座居状態、着用時間などに応じて、左右一対の肩掛けベルトの所望の緊張状態を変えたい場合は、再調整できるなどの便利をもたらす。
更に本考案の姿勢矯正具の該背当て面状体の裏面に、前記の垂直矯正帯を設けるときは、装着状態において、該垂直矯正帯は丁度脊椎に対応する位置に配置され、脊椎の安定性と背当て面状体の伸縮性に対する強度を向上し、更には、前記のＸ状の斜交矯正帯と協働して、引張力に対する背当て面状体の補強と伸張性をその全幅に亘り均等に付与することができる。
このように本考案の姿勢矯正具により、常時、強力な伸長性を確保できるので、従来の姿勢矯正具に欠けていた矯正効果の信頼性を確保することができる。
【考案を実施するための最良の形態】
【０００６】
図１は、本考案の実施の１例の姿勢矯正具の正面図、図２は、その斜視図を示す。
該姿勢矯正具の基本的な構成は、背当て面状体１と左右一対の肩掛けベルト２，２と腰ベルト３の３つの構成部材から成る。本考案によれば、これら３つの構成部材１，２，２，３，３の夫々は肉厚柔軟弾性で且つ伸縮性を有する組織体で夫々の構成部材の形状に作製し、これらを互いに縫着して姿勢矯正具の基本的な構成を作製したものである。
【０００７】
即ち、該背当て面状体１は、例えば、厚さ３ｍｍ程度の肉厚で柔軟弾性で且つ伸縮性を有する発泡ゴム質成形板とその上下面に肉薄で強靭で且つ伸縮性を有するゴム・合成樹脂混合の織布を重ね合わせたものを背当てに適した所定の形状に型抜きして成る積層成形体を作製し、更にその周縁を肉薄で強靭な伸縮性を有するゴム・合成樹脂混合の織布をコ字状に縫着して補強して成る。図示の背当て面状体１は、人体の背中の略全面を被覆する面域を有すると共に、その上端の左右隅角部には、左右の肩を被覆するべく前方へ弯曲して突出する肩当て部１ａ，１ａを延設して成る背当て面状体に形成したものである。
【０００８】
また、左右の肩掛けベルト２，２も、該背当て面状体１と同じ材料で同じ構成に作製された肉厚柔軟弾性で且つ伸縮性を有する帯状の積層成形体から成り、各肩掛けベルト２の一端２ａを前記の該背当て面状体１の左右の肩当て部１ａ，１ａに縫着され、その他端２ｂを該背当て面状体１の左右の両側縁の下部に縫着されて前方に略円弧状に突出した状態に該背当て面状体１の左右に一体に取り付けられたものである。
【０００９】
また、該腰ベルト３も、該背当て面状体１と同じ材料で同じように作製された肉厚柔軟で且つ伸縮性を有する帯状の積層成形体から成り、その中間ベルト部３ａを該背当て面状体１の下端縁に水平に縫着し、その中間ベルト部３ａから左右に延びる長手の延長ベルト部３ｂ，３ｂは先端に至るに従い漸次斜め下方に傾斜した状態に配設される。
該左右の延長ベルト部３ｂ，３ｂは、腰に巻き付けるときは、その夫々の先端部は人体の下腹部全面において交叉するに足る長さを有するように形成されている。
更に、その夫々の先端部には、これらを装着者の下腹部において交叉したときその交叉部を固定するために、互いに重なり合う対向面に雌面ファスナー４と雄面ファスナー５を予め逢着して具備せしめた。通常、雌面ファスナーと雄面ファスナーのいずれか一方を著しく長手のものとし、図示の例では、雌面ファスナー４を長手とし、例えば、２倍位の長手のものとし、その交叉部において使用者により引っ張り状態で所望の位置で係止固定位置を選択し、所望の締め付け状態が得られるようにすることが好ましい。
かくして、かゝる基本的な構成をもつ姿勢矯正具は、次のように使用される。即ち、使用者がその背当て面状体１を、その左右の肩掛けベルト２，２で囲繞される空間部に左右の腕を通して、左右の肩に左右の肩掛けベルト２，２を肩当て２ａ，２ａを当てた状態で掛けた状態で背負い、該背当て面状体１を下方へ引っ張り、その緊張状態で該腰ベルト３の左右の延長ベルト部３ｂ，３ｂを引っ張り乍ら腰の側面から前面に巻き付け、下腹部の前面において夫々の先端部３ｂ１，３ｂ１を図示のように交叉させ、緊張状態でその交叉部において対面する一対の雌雄面ファスナー４，５を互いに係合させてその締め付け状態を固定し、装着を完了する。
【００１０】
しかし乍ら、該基本形態構成をもつ姿勢矯正具は、装着者の立ち居振舞が繰り返される動作により、腰ベルト３は徐々にずり上がり該腰ベルトによる骨盤の後傾防止効果を失うと共に、これに伴い背当て面状体１も同時に徐々にずり上がり、左右の肩掛けベルト２，２を支点とする該背当て面状体１の伸長状態により背筋を真直ぐに伸ばす当初の引張力が徐々に弱り、姿勢矯正効果が劣化し、当初の姿勢矯正を維持できなくなる嫌いがある。
【００１１】
本考案は、上記の不都合を解消するため、該腰ベルト３の左右の延長ベルト部３ｂ，３ｂの裏面に両端６ａ，６ａを縫着し、その両端６ａ，６ａ間を該腰ベルト３から遊離した状態に、伸縮性を有し且つ強靭な尻掛けベルト６を付設して成る姿勢矯正具Ｐに構成した。該尻掛けベルト６は、例えば、伸縮自在で且つ強靭なポリエステル・ゴム混合の織布から成る。
【００１２】
本考案の姿勢矯正具Ｐは、使用者がこれを上記のように両肩に左右の肩掛けベルト２，２を掛けた状態で背負い、該背当て面状体１を下方へ引っ張る緊張状態で、腰ベルト３の左右の延長ベルト部３ｂ，３ｂを腰に巻き付け、引っ張り乍ら、その下腹部を圧迫した状態で交叉させ、一対の雌雄面ファスナー４，５を重ね合わせ係着し固定することに加え、伸縮性を有する強靭な尻掛けベルト６を下方に引き下げ尻の下に引っ掛けた状態とする。図３、図４及び図５は、装着者の立起した姿勢と椅子に腰掛けた姿勢状態を示す。
かくして、使用者の立ち居振舞を繰り返しても、該尻掛けベルト６により該腰ベルト３のずり上がりが防止され、従ってまた同時に、該背当て面状体１のずり上がりが防止されるので、当初の所定の位置で該腰ベルト３による骨盤の後傾防止が確保されると共に当初の引っ張り緊張状態での該背当て面状体１の当初の引張力を確保でき、従って、常に、前屈みを矯正し、胸を張った状態が確保され、脊椎を正しい位置に確保できる。
尚、図示のように、該腰ベルト３の中間ベルト部３ａに平行に取り付けられた該尻掛けベルト６の両端６ａ，６ａは、図示のように斜め上向きの端縁として縫着せしめることが好ましく、これにより、尻掛けベルト６を下方へ引っ張り尻掛け状態を円滑且つ安定に行うようにした。
【００１３】
図６は、本発明の姿勢矯正具の尻掛けベルトの変形例を示す。符号６′で示す尻掛けベルトは、その両端６ａ′，６ａ′を、該腰ベルト３の延長ベルト部３ｂ，３ｂの下縁に縫着し、該両端６ａ′，６ａ′間は該腰ベルト３の中間ベルト部３ａから離れて、その中間ベルト部３ａの下縁の下方に位置せしめるようにすると共に、その尻掛けベルト６′の遊離した中間部の上縁に該腰ベルト３の中間ベルト部３ａの下縁の中心に上端を縫着され、且つ左右に斜め下方に開いた状態に配設された適当な長さの伸縮性を有し強靭な帯状のスペーサー７，７の下端を縫着して該尻掛けベルト６′は、該腰ベルト３の中間ベルト部３ａとの間に該左右一対のスペーサー７，７によりその長さに対応する間隔を存した状態に該腰ベルト３に付設したもので、これにより、先の実施例の姿勢矯正具Ｐを装着するに適しない、身長や座高などの高さが相異する使用者に適用できるようにした１例である。
【００１４】
図１に示す姿勢矯正具Ｐは、その左右の肩掛けベルト２，２は長さが一定であるので、使用者の体格などの相異により適応できず、また使用者の所望する締付け力や牽引力の強弱度を調節することができない不便がある。
図７は、かゝる不便を解消した肩掛けベルトを具備した本考案の姿勢矯正具Ｐ′の要部を示す。
即ち、該該背当て面状体１の各左右の肩掛けベルトは、図示のように上部ベルト２ｃと下部ベルト２ｄとに分離されて構成される。更に詳細には、左右の該上部ベルト２ｃ，２ｃは、該該背当て面状体１の左右の肩当て部１ａ，１ａから前方下向きに延びる一方、左右の該下部ベルト２ｄ，２ｄは、該該背当て面状体１の下部の左右側縁から前方上向きに延びると共に、その左右の各上部ベルト２ｃと下部ベルト２ｄは、その夫々の対向する遊離端部が互いに重なり合うに足る長さを有するものに構成され、更に、その互いに重なり合う互いに対向する面に雌雄一対の面ファスナー８，９を具備せしめ、フリーサイズ式の肩掛けベルト２′，２′を有する姿勢矯正具Ｐ′に構成した。
而して、雌雄一対の面ファスナー８，９のいずれか一方は他方より長手とすることが好ましい。図示の例では、雌面ファスナー８を雄面ファスナー９の略倍の長さを有するものに配設した。
かくして、かゝる姿勢矯正具Ｐ′を装着する際に、その雌雄面ファスナー８，９の係合固定位置を所望に変えて相互を係着固定し、肩掛けベルト２′，２′の所望の緊張度を所望に調節でき、また使用者の体躯などに合わせて、適当な緊張度をもつ肩掛けベルト２′，２′として使用でき便利である。
【００１５】
尚、本考案の姿勢矯正具は、該該背当て面状体１は、その伸縮性を安定良好に行うために、図面に示すように、その裏面に下記のような伸縮性を有し且つ強靭な矯正帯を配設することが好ましく一般である。
即ち、図面において、１０は、該背当て面状体１の裏面に、その幅方向の中心軸線上に位置し、その上端１０ａと下端１０ｂをその背当て面状体１の上端縁と下端縁に縫着し、その上下端１０ａ，１０ｂ間を該背当て面状体１の裏面から遊離させた状態に設けた強靭で且つ伸縮自在のゴム・合成樹脂混合の織布から成る垂直矯正帯を示し、装着時に該垂直矯正帯１０は、装着者の脊椎に対応する位置に当たり、該垂直矯正帯１０の伸長により、該背当て面状体１の伸長による脊椎の強制力をアップすると共に、脊椎の安定保持性を増大せしめるに役立つ。更に、強靭で且つ伸縮自在の織布から成る矯正帯の一対１１，１１を図示の例では、該垂直矯正帯１０上において交叉させると共にその夫々の上端１１ａ，１１ａを該背当て面状体１の左右の各肩当て部１ａ，１ａの裏面に縫着し、その下端１１ｂ，１１ｂを該背当て面状体１の水平下縁の左右に縫着してその夫々の上下端１１ｂ，１１ｂ間を該背当て面状体１の裏面から遊離した状態に配設した。かくして、かゝる斜交矯正帯１１，１１と中央の該垂直帯１０との介在により、該背当て面状体１の全幅に亘り均等な伸縮性を安定良好にもたらす効果を有する姿勢矯正具Ｐ，Ｐ′に構成したものである。
【図面の簡単な説明】
【００１６】
【図１】本考案の実施の１例の姿勢矯正具の正面図。
【図２】同姿勢矯正具の斜視図。
【図３】同姿勢矯正具を装着した使用状態の正面図。
【図４】同姿勢矯正具を装着した使用状態の背面図。
【図５】同姿勢矯正具を装着した使用状態の側面図。
【図６】本考案の姿勢矯正具の要部の変形例の正面図。
【図７】本考案の他の実施例の姿勢矯正具の要部の正面図。
【符号の説明】
【００１７】
Ｐ，Ｐ′  本考案の姿勢矯正具
１  背当て面状体
２，２′  左右の肩掛けベルト
２ａ  上部ベルト
２ｂ  下部ベルト
３  腰ベルト
３ａ  腰ベルトの中間ベルト部
３ｂ，３ｂ  腰ベルトの延長ベルト部
４，８  雌面ファスナー
５，９  雄面ファスナー
６，６′  尻掛けベルト
１０  垂直矯正帯
１１  斜交矯正帯
【図１】
0003102373.tif 000003
【図２】
0003102373.tif 000004
【図３】
0003102373.tif 000005
【図４】
0003102373.tif 000006
【図５】
0003102373.tif 000007
【図６】
0003102373.tif 000008
【図７】
0003102373.tif 000009